(57)【要約】【課題】分割型支持体において、パネル内部の真空状態のリークの発生を抑制し、品質及び信頼性を向上させることができる画像表示装置を提供する。【解決手段】支持体１３を複数の支持体片１３Ｘ１，１３Ｘ２，１３Ｙ１，１３Ｙ２とこれらの支持体片１３Ｘ１，１３Ｘ２，１３Ｙ１，１３Ｙ２の各端部を係合する複数のコーナー支持体片１３Ｃ１〜１３Ｃ４とから構成し、支持体片１３Ｘ１，１３Ｘ２，１３Ｙ１，１３Ｙ２とコーナー支持体片１３Ｃ１〜１３Ｃ４とを接合する接合面に接合部材を介在させて気密接合した構成とし、コーナー支持体片１３Ｃ１，１３Ｃ２，１３Ｃ３，１３Ｃ４と支持体片１３Ｘ１，１３Ｘ２，１３Ｙ１，１３Ｙ２の接合面に近接して係止片１６を有する構成とすることにより、支持体自体のＸＹ平面における位置ずれ等の変位が生じ難くなる。【選択図】図３
2007234400.tif 000002
【特許請求の範囲】
【請求項１】
陽極及び蛍光体を内面に有する前面基板と、
複数の電子源を内面に有して前記前面基板と所定の間隔をもって対向する背面基板と、
前記前面基板と前記背面基板との間で表示領域を周回して介挿され、前記所定の間隔を保持する枠状の支持体と、
前記支持体の端面と前記前面基板及び背面基板とをそれぞれ気密封着する封着部材と、を備え、
前記支持体は、複数の支持体片と、前記支持体片の各両端部を係合する複数のコーナー支持体片とから構成され、前記支持体片と前記コーナー支持体片との接合面に近接して係止部材を有することを特徴とする画像表示装置。
【請求項２】
前記支持体片は、ガラス材の成形体により形成され、且つ前記コーナー支持体片は、セラミックス材の焼結成形体により形成されていることを特徴とする請求項１に記載の画像表示装置。
【請求項３】
前記接合面は、傾斜面形状に形成されていることを特徴とする請求項１または請求項２に記載の画像表示装置。
【請求項４】
前記接合面は、斜面形状により形成され、且つ当該接合面を貫通する連通孔が穿設されて当該貫通孔内に係止片が嵌合されていることを特徴とする請求項１乃至請求項３の何れかに記載の画像表示装置。
【請求項５】
前記接合面は、斜面形状により形成され、且つ前記コーナー支持体片に前記支持体片の内壁面に接合する係止爪が一体的に設けられていることを特徴とする請求項１乃至請求項４の何れかに記載の画像表示装置。
【請求項６】
前記コーナー支持体片は、角部に位置決め孔が穿設されていることを特徴とする請求項１乃至請求項５の何れかに記載の画像表示装置。
【請求項７】
前記コーナー支持体片は、一部に陽極引出線を挿通させる貫通孔が穿設されていることを特徴とする請求項１乃至請求項６の何れかに記載の画像表示装置。
【請求項８】
前記接合面の接合部材及び前記封着部材は、非晶質フリットガラスからなり、且つ前記接合部材が前記封着部材よりも軟化温度が高いことを特徴とする請求項１乃至請求項７の何れかに記載の画像表示装置。
【請求項９】
前記接合部材と前記封着部材との軟化温度の差は、３０℃以上であることを特徴とする請求項７に記載の画像表示装置。
【発明の詳細な説明】
【技術分野】
【０００１】
本発明は、画像表示装置に係り、特に基板間に介挿されて密閉空間を囲繞する支持体を備えた画像表示装置に関し、詳細には支持体を構成する複数の支持体片の接合構造に関するものである。
【背景技術】
【０００２】
高輝度，高精細に優れた画像表示装置として従来からカラー陰極線管が広く用いられている。また、近年の情報処理装置やテレビ放送の高画質化に伴い、高輝度，高精細の特性を有すると共に、軽量，省スペースの画像表示装置である平板状ディスプレイ（パネルディスプレイ）が要求されている。
【０００３】
その典型的な例として、液晶表示装置、プラズマディスプレイ装置などのパネルディスプレイが実用化されている。この種パネルディスプレイの内、特に高輝度化が可能なものとして電子放出型表示装置や、低消費電力を特徴とする有機ＥＬディスプレイなど種々の型式のパネルディスプレイも提案されている。
【０００４】
このようなパネル型の表示装置のうち、前面基板と背面基板との二枚の基板間の密閉空間を外界の気圧より低圧または真空とした表示装置では、二枚の基板間の間隙を所定値に保持すると共に、当該密閉空間を囲繞して気密を維持する枠状の支持体が配置されている。
【０００５】
図９は、既知の電子放出型画像表示装置の一構成例を説明する断面図である。図９において、電子放出型画像表示装置は、背面基板１と、この背面基板１と対向する前面基板２とを備え、これら両基板の内周縁部に一体構成からなる枠状の支持体３を介挿して封着部材４により気密封止し、この支持体に囲繞された表示領域となる内部空間を外界の気圧より低圧または真空状態に保持して構成される。
【０００６】
また、この画像表示装置は、背面基板１の内面に電子放出型の電子源５と制御電極等を備えており、さらに、前面基板２の内面には陽極と蛍光体層６とを備えている。また、この背面基板１と前面基板２との対向間には、表示領域の間隔を所定間隔に保持する複数のスペーサ７が複数の画素毎に画素の動作を妨げない位置に接着部材８を介して設置されている。なお、このスペーサ７は、表示画面の大型化に伴い、必要不可欠となっている。
【０００７】
背面基板１は、ガラス材またはセラミックス材などを好適とする材料から形成され、また、前面基板２は、ガラス等の光透過性の材料で形成されている。さらに支持体３は、ガラスまたはセラミックス材などを好適とする材料から形成され、背面基板１と前面基板２との内周縁にフリットガラスなどの封着部材４で固着される。背面基板１と前面基板２と支持体３とで形成される内部空間は、例えば１０-5〜１０-7Ｔｏｒｒの真空度に排気される。
【０００８】
また、電子源５は、例えばカーボンナノチューブ（ＣＮＴ），ダイアモンドライクカーボン（ＤＬＣ）またはその他の電子放出性カソードで構成される。
【０００９】
このようなパネルディスプレイにおいて、両基板間の間隔を保持して表示領域を囲繞する支持体３は、上述した一体構成のものと、図１０に一例を示すような複数の壁部材を結合して構成されたもの等が知られている。図１０は、下記特許文献１に開示された表示装置の説明図であり、背面基板１と前面基板２と支持体３との構成例を模式的に説明する展開斜視図である。
【００１０】
この図１０に示す表示装置では、背面基板１及び前面基板２はガラス板で構成され、支持体３はガラス材で構成されている。なお、ここでは、背面基板１と前面基板２との各内面に形成する各種の構成部分は図示を省略してある。
【００１１】
図１０において、背面基板１と前面基板２の周縁に所定の厚みを有する支持体３を介在させ、これらを封着部材により一定の間隙をもって固定して内部に密閉空間を形成してある。この支持体３は、複数の壁部材３Ｘ１、３Ｘ２、３Ｙ１、３Ｙ２、３Ｃ１〜３Ｃ４に分割されている。
【００１２】
各壁部材３Ｘ１、３Ｘ２、３Ｙ１、３Ｙ２、３Ｃ１〜３Ｃ４は、互いに隣接して係合する部分のそれぞれに斜面３Ｐが形成されている。そして、この斜面３Ｐに立てた法線と背面基板１または前面基板２に立てた法線の交差角度を鋭角にしてある。
【００１３】
また、図１１は、図１０における支持体の平面および二つの側面を示す３面図であり、図１１（ａ）は平面図、図１１（ｂ）は短辺側側面図、図１１（ｃ）は長辺側側面図を示す。図中の符号は図１０と同一部分に対応する。
【００１４】
図１１に示したように、この例の支持体３は、２本の長辺壁部材３Ｘ１，３Ｘ２と、２本の短辺壁部材３Ｙ１，３Ｙ２と、４個のコーナー壁部材３Ｃ１，３Ｃ２，３Ｃ３，３Ｃ４とに分割され、各斜面３Ｐで相互に接合されて支持体３を構成している。
【００１５】
また、下記特許文献２には、電子放出素子を内包する第１の枠部材と、この第１の枠部材を内包する第２の枠部材とを備え、これら第１の枠部材及び第２の枠部材を、複数本の板状の部材を長方形に並べて位置決め固定し、それぞれの接触部分をバーナで加熱して溶かし、溶着して形成する技術が記載されている。
【００１６】
さらに、下記特許文献３には、一体構造の支持枠を持つ画像形成装置で、前面板とスペーサ間、背面板とスペーサ間及び支持枠と両面板間をそれぞれ軟化温度の異なるフリットガラスで封着することにより封着回数を減らし、寸法変化を最小限とし、微少リークの発生を押さえる技術が記載されている。
【００１７】
【特許文献１】特開２００２−２９８７６１号公報
【特許文献２】特開２０００−３１１６３０号公報
【特許文献３】特開平１１−３１７１６４号公報
【特許文献４】特開２００５−２２２８９５号公報
【発明の開示】
【発明が解決しようとする課題】
【００１８】
上記従来技術において、２枚のガラス板を一体構造の枠型の支持体を介して接着固定するものでは、表示装置が大型化（大画面化）した場合に取り扱い時に支持体が破損し易く、また、その材料取りに無駄が生じて結果として高価になってしまうという問題があった。
【００１９】
これを回避するために、図１０等に示すように支持体を複数の部材に分割して組み合わせ接着することも提案されている。この組み合わせ接着は、前述の一体構造の枠型の支持体に比べ破損の問題も解決でき、材料取りの点でも無駄の発生も回避でき、廉価である等の特徴を備えている。
【００２０】
しかしながら、両基板と支持体とを封着部材を介して封着する際、両基板にそれぞれ板面に垂直方向（Ｚ方向）に加重をかけるが、この加圧接着時に支持体の各分割部材の接合部分が互いに離隔する方向（Ｘ方向，Ｙ方向）に変位してこの接合部分の気密保持が不十分となってパネル内部の真空状態のリークを発生する恐れがあり、これを防止するための治具の使用が必須となる。
【００２１】
さらに、封着後の排気工程でも高温雰囲気となることから、接合部の接着材が溶融する恐れがあり、支持体の各分割部材の変位を規制する治具の再使用が必要となる等の課題があり、これらを解消することが当該技術分野における課題の一つとなっていた。
【００２２】
また、従来技術において、複数の板状の部材を長方形にならべて位置決め固定し、それぞれの接触部分をバーナで加熱して溶解し、溶着して支持体を形成する技術は、溶着に伴う変形の発生とその整形工程が必須となること及びバーナ加熱による作業環境の問題、更には作業効率の点等からその採用が敬遠され、接着材による固定の手法が賞用されている。
【００２３】
これらの課題を解決したものとしては、前面基板及び背面基板と支持体の端面とをそれぞれ封着部材を介して気密封着してなる画像表示装置において、この支持体を複数の支持体片の集合体で構成し、各支持体片相互を封着部材とは異なる接合部材を介して気密接合することにより、パネル内部の真空状態のリークの発生を回避した構成が提案されている。このような構成は、特許文献４に開示されている。
【００２４】
、
しかしながら、このような分割枠構造の支持体においては、図１２に示したように、支持体３を形成する各支持体片を接合する接合部の矢印Ａで示す垂直部分において接合部材による接合不良に起因する真空状態のリークが生じ易く、また、排気時に枠自体の位置ずれ等の変位を起して真空リークが発生し易いという課題があった。
【００２５】
したがって、本発明は、上述した課題を解決するためになされたものであり、その目的は、分割型支持体において、仮焼成時及びパネル封着時の位置ずれに起因する真空状態のリークの発生を抑制し、品質及び信頼性を向上させることができる画像表示装置を提供することにある。
【課題を解決するための手段】
【００２６】
このような目的を達成するために本発明による画像表示装置は、前面基板及び背面基板と支持体の端面とをそれぞれ封着部材を介して気密封着してなる画像表示装置において、支持体を複数の支持体片とこれらの支持体片の各端部を係合する複数のコーナー支持体片とから構成し、支持体片とコーナー支持体片とを接合する接合面に近接して係止部材を介在させて気密接合した構成とすることにより、支持体自体のＸＹ平面における位置ずれ等の変位が生じ難くなるので、背景技術の課題を解決することができる。
【発明の効果】
【００２７】
本発明によれば、支持体自体のＸＹ平面における位置ずれなどの変位が発生し難くなり、確実な気密接合が確保できるので、パネル内部の真空状態のリークの発生の恐れを回避でき、気密性が大幅に向上できるので、品質及び信頼性の高い画像表示装置が実現可能となるという極めて優れた効果が得られる。
【００２８】
また、本発明によれば、コーナー支持体片は、接合面が斜面形状とし、この接合面を貫通する連通孔を設け、この連通孔内に係止片を嵌合させる構成とすることにより、支持体自体のＸＹ平面における位置ずれ等の変位が生じ難くなるので、封着時及び排気時等における支持体片相互間の位置ずれなどの変位が生じ難くなり、高い気密接合性が確保できる。現行の煩雑な治具等の使用は不必要となり、作業性が向上するので、生産性の高い大型（大画面）の画像表示装置が実現可能となるという極めて優れた効果が得られる。
【００２９】
なお、本発明は、上記の構成及び後述する実施例の構成に限定されるものではなく、本発明の技術思想を逸脱することなく種々の変更が可能であることは言うまでもない。
【発明を実施するための最良の形態】
【００３０】
以下、本発明の具体的な実施の形態について、図面を参照して詳細に説明する。なお、ここでは、本発明をＦＥＤに適用した構成について説明するが、他の同様の画像表示装置またはこれに類似する表示装置にも同様に適用できることは言うまでもない。
【実施例１】
【００３１】
図１は、本発明による画像表示装置の一実施例を示し、背面基板，前面基板及び支持体の構成例を模式的に説明する展開斜視図であり、図中、Ｚ方向は前面基板１及び背面基板２の積層方向を示している。また、図２は、図１のＡ部のＺ方向の拡大断面図であり、図２（ａ）は、図１のＢ−Ｂ線で切断した拡大断面図、図２（ｂ）は図１のＣ−Ｃ線で切断した拡大断面図である。
【００３２】
さらに、図３は、図１に示す支持体の構成を示す平面図である。図４は、支持体片とコーナー支持体片との接合部分の構成を示す図であり、図４（ａ）は上方から見た拡大平面図、図４（ｂ）は図４（ａ）の左側面から見た拡大平面図、図４（ｃ）は図４（ａ）の正面から見た拡大平面図である。
【００３３】
この画像表示装置では、背面基板１及び前面基板２はガラス板、支持体１３はガラス材またはセラミックス材により構成されている。なお、ここでは、背面基板１及び前面基板２の各内面に形成する電子源及び蛍光体層等の各種の構成部分は図示を省略してある。
【００３４】
図１及び図２において、背面基板１と前面基板２とを一定の間隙をもって対向配置し、その周縁部に所定の厚みを有する支持体１３を介在させ、この支持体１３の上下端面に配置した封着部材４を介して背面基板１及び前面基板２と支持体１３とを封着固定して内部に表示領域となる密閉空間が形成されている。
【００３５】
この支持体１３は、２本の長辺支持体片１３Ｘ１，１３Ｘ２と、２本の短辺支持体片１３Ｙ１，１３Ｙ２と、４個のコーナー支持体片１３Ｃ１，１３Ｃ２，１３Ｃ３，１３Ｃ４とを有し、これらの支持体片１３Ｘ１，１３Ｘ２，１３Ｙ１，１３Ｙ２及びコーナー支持体片１３Ｃ１，１３Ｃ２，１３Ｃ３，１３Ｃ４を表示領域を囲繞する形状寸法に組み合わせ、各接合面１３Ｐにおいて例えば非晶質フリットガラスなどからなる接合部材１４を介して気密接合して構成されている。
【００３６】
上記構成では、各接合面１３Ｐは、図２（ａ）に示すように斜面形状として形成され、この接合面１３Ｐの内部の中央部分には図２（ｂ）に示すように接合されたコーナー支持体片１３Ｃ４及び長辺支持体片１３Ｘ１を貫通する矩形状の連通孔１５が穿設され、この連通孔１５内に板状の係止片１６が嵌挿されて接合部材１４により接合固定されている。
【００３７】
これらの支持体片１３Ｘ１，１３Ｘ２，１３Ｙ１，１３Ｙ２は、ガラス材の成形体またはガラス板の裁断片を加工して形成され、また、これらのコーナー支持体片１３Ｃ１，１３Ｃ２，１３Ｃ３，１３Ｃ４は、ガラス材と熱膨張係数が略等しいセラミックス材の焼結成形体により断面が略Ｌ字状の角柱体で形成されている。
【００３８】
また、これらのコーナー支持体片１３Ｃ１，１３Ｃ２，１３Ｃ３，１３Ｃ４は、図４にその一例を示すようにこのコーナー支持体片１３Ｃ４の直交方向には、中央部にこのコーナー支持体１３Ｃ４の本体を貫通する溝１３ＣＤが形成され、この溝１３ＣＤを挟んで両端部に下部方向に傾斜する斜面１３ＣＩが一体的に形成されて接合面１３Ｐが構成される
【００３９】
一方、このコーナー支持体片１３Ｃ４に接合される長辺支持体片１３Ｘ１の接合面１３Ｐには、中央部に矩形状の溝１３ＸＤが形成され、この溝１３ＸＤを挟んで両端部にコーナー支持体片１３Ｃ４の斜面１３ＣＩとは逆方向の斜面１３ＸＩが一体的に形成されている。
【００４０】
また、同様にこのコーナー支持体片１３Ｃ４に接合される短辺支持体片１３Ｙ２の接合面１３Ｐには、中央部に上記矩形状の溝１３ＸＤと同一寸法の矩形状の溝１３ＹＤが形成され、この溝１３ＹＤを挟んで両端部にはコーナー支持体片１３Ｃ４の斜面１３ＣＩとは逆方向の斜面１３ＹＩが一体的に形成されている。なお、コーナー支持体片１３Ｃ４の斜面１３ＣＩ及び長辺支持体片１３Ｘ１の斜面１３ＸＩ及び短辺支持体片１３Ｙ２の斜面１３ＹＩは、それぞれ傾斜角θが約４５度の傾斜面で形成されている。
【００４１】
また、このコーナー支持体片１３Ｃ４の角部の所定位置には、このコーナー支持体片１３Ｃ４本体を貫通する位置決め用ガイドピンを挿通させるガイド孔としての貫通孔１３ＣＨが穿設されている。なお、図示しないが、他のコーナー支持体片１３Ｃ１，１３Ｃ２，１３Ｃ３は、図３と全く同一構成で形成されており、それぞれ対応する支持体片１３Ｘ１，１３Ｘ２，１３Ｙ１，１３Ｙ２との接合面に図示しないが、接合部材を介在させて接合されている。
【００４２】
このようにして形成されたコーナー支持体片１３Ｃ１〜１３Ｃ４は、図３に示すように支持体片１３Ｘ１，１３Ｘ２，１３Ｙ１，１３Ｙ２とそれぞれ組み合わせ、各コーナー支持体片１３Ｃ１〜１３Ｃ４に形成された溝部１３ＣＤと、各支持体片１３Ｘ１，１３Ｘ２，１３Ｙ１，１３Ｙ２に形成された各溝部１３ＸＤ，１３ＹＤとを組み合わせて形成された連通孔１５内に接合部材を介在させて係止片１６を嵌挿して接合固定される。
【００４３】
ここで、これらの支持体片１３Ｘ１，１３Ｘ２，１３Ｙ１，１３Ｙ２及びコーナー支持体片１３Ｃ１〜１３Ｃ４の組み合わせ体からなる支持体１３は、そのＺ方向に高さは全周に亘って全面均一性が望ましく、大きな段差を有する構成ではパネル内部の真空状態のリークが発生し易いことから、接合部材１４は封着部材４とは異なるガラス特性を有するフリットガラスが用いられている。
【００４４】
例えば、この接合部材１４の一例として、例えば軟化温度が約４４０℃で接合温度が約４８０℃の非晶質フリットガラスが用いられ、一方、封着部材４には軟化温度が接合部材１４よりも約５０℃程度低い例えば軟化温度が約３９０℃で接合温度が約４３０℃の非晶質フリットガラスが用いられる。ここで、軟化温度の差が約５０℃としたが、この差は約３０℃以上有れば実用上可能であり、約５０℃以上であれば、作業裕度の点からも一層望ましい。
【００４５】
これらのフリットガラスの組成としては種々のものがあるが、例えばＰｂＯ：約７０ｗｔ％、Ｂ2Ｏ3：約４ｗｔ％、ＴｉＯ2：約９ｗｔ％、その他からなる非晶質フリットガラス等が使用可能であり、フリットガラスの軟化温度の制御は、含有する酸化物の量により可能であり、例えば融点が低い酸化物の量が多いと軟化温度が低くなり、逆に融点が高い酸化物の量が多いと軟化温度が高くなる。さらに、フリットガラスの構成成分の組成比を変えることで軟化温度を制御可能なことはガラスハンドブック等に既に開示されている。
【００４６】
この実施例の構成によれば、各支持体片１３Ｘ１，１３Ｘ２，１３Ｙ１，１３Ｙ２の傾斜面１３ＸＩ，１３ＹＩと、各コーナー支持体片１３Ｃ１，１３Ｃ２，１３Ｃ３，１３Ｃ４の傾斜面１３ＣＩとの接合面が斜面形状としたことによって接合面積が広く確保できると共に、接合面からの接合部材の流出を阻止して気密接合の信頼性の確保が図れるので、パネル内部の真空状態のリークを確実に防止することができる。
【００４７】
また、各コーナー支持体片１３Ｃ１〜１３Ｃ４に形成された溝１３ＣＤと、各支持体片１３Ｘ１，１３Ｘ２，１３Ｙ１，１３Ｙ２に形成された各溝１３ＸＤ，１３ＹＤとを組み合わせて形成した連通孔１５内に接合部材を介在させて係止片１６を嵌挿して接合固定したことにより、各支持体片１３Ｘ１，１３Ｘ２，１３Ｙ１，１３Ｙ２とが高精度に位置決めされるので、各コーナー支持体片１３Ｃ１〜１３Ｃ４のＸＹ方向の位置ずれが阻止され、支持体１３自体のＸＹ面方向での位置ずれ等の変位を確実に防止することができる。
【００４８】
また、各コーナー支持体片１３Ｃ１〜１３Ｃ４の角部の所定位置に貫通孔１３ＣＨを穿設したことにより、支持体１３を作製する際の組み立て治具のガイドピン挿通させるガイド孔として用いることにより、各支持体片１３Ｘ１，１３Ｘ２，１３Ｙ１，１３Ｙ２及びコーナー支持体片１３Ｃ１〜１３Ｃ４並びに係止片１６相互間の位置ずれ等の変位のない高精度の組み立てが可能となる。
【実施例２】
【００４９】
図５は、本発明による画像表示装置の他の実施例を示す支持体の構成を拡大して示す上方から見た平面図、図６は、支持体片とコーナー支持体片との接合部分の構成を示す図であり、図６（ａ）は上方から見た拡大平面図、図６（ｂ）は図６（ａ）の左側面から見た拡大平面図、図６（ｃ）は図６（ａ）の正面から見た拡大平面図であり、上述した図と同一部分には同一符号を付し、その説明は省略する。また、背面基板１及び前面基板２の各内面に形成する電子源及び蛍光体層等の各種の構成部分は図示を省略してある。
【００５０】
図５及び図６において、上述した図３及び図４と異なる点は、この支持体１３が２本の長辺支持体片１３Ｘ１，１３Ｘ２と、２本の短辺支持体片１３Ｙ１，１３Ｙ２と、互いに隣接する各支持体片の内側に係合する係止爪１７が一体形成された４個のコーナー支持体片１３Ｃ１，１３Ｃ２，１３Ｃ３，１３Ｃ４とを有し、これらの支持体片１３Ｘ１，１３Ｘ２，１３Ｙ１，１３Ｙ２は、コーナー支持体片１３Ｃ１，１３Ｃ２，１３Ｃ３，１３Ｃ４及び各係止爪１７を表示領域を囲繞する形状寸法に組み合わせ、各接合面１３Ｐにおいて例えば非晶質フリットガラスなどからなる接合部材１４を介して気密接合して構成されている。
【００５１】
上記構成では、これらのコーナー支持体片１３Ｃ１，１３Ｃ２，１３Ｃ３，１３Ｃ４は、図６にその一例を示すようにこのコーナー支持体片１３Ｃ４の直交方向には、コーナー支持体片１３Ｘ１，１３Ｙ２の内側を係合する係止爪１７及び下部方向に傾斜する傾斜面１３ＣＩが一体的に形成され、接合面１３Ｐが構成されている。
【００５２】
一方、このコーナー支持体片１３Ｃ４に接合される長辺支持体片１３Ｘ１の接合面１３Ｐの上部方向に向かって傾斜する斜面１３ＸＩが一体的に形成され、同様に短辺支持体片１３Ｙ２の接合面１３Ｐには、上部方向に向かって傾斜する斜面１３ＹＩが一体的に形成されている。なお、コーナー支持体片１３Ｃ４の斜面１３ＣＩ及び長辺支持体片１３Ｘ１の斜面１３ＸＩ及び短辺支持体片１３Ｙ２の斜面１３ＹＩは、それぞれ傾斜角θが約４５度で形成されている。
【００５３】
したがって、このコーナー支持体片１３Ｃ４の一方の斜面１３ＣＩには、長辺支持体片１３Ｘ１の斜面１３Ｘ１が接合部材を介して接合されるとともに、この長辺支持体片１３Ｘ１の端部が係止爪１７により係止されて接合され、位置ずれ等の変位が阻止されて位置決めされることになる。一方、このコーナー支持体片１３Ｃ４の他方の斜面１３ＣＩには、短辺支持体片１３Ｙ２の斜面１３ＹＩが接合部材を介して接合されるとともに、この短辺支持体片１３Ｙ１の端部が係止爪１７により係止されて接合され、位置ずれ等の変位が阻止されて位置決めされることになる。
【００５４】
なお、図示しないが、他のコーナー支持体片１３Ｃ１，１３Ｃ２，１３Ｃ３も図５と全く同一構成で形成されており、それぞれ対応する支持体片１３Ｘ１，１３Ｘ２，１３Ｙ１，１３Ｙ２との接合面に図示しないが、接合部材を介在させて接合される構造となっている。
【００５５】
また、このコーナー支持体片１３Ｃ４の角部には、位置決め用の貫通孔１３ＣＨに加えて例えば陽極（メタルバック膜）に電力を供給する給電用配線を挿通させる開口径の大きい貫通孔１３ＣＰが穿設されている。なお、図示しないが、他のコーナー支持体片１３Ｃ１，１３Ｃ２，１３Ｃ３も図６と全く同一構成で形成されており、それぞれ対応する支持体片１３Ｘ１，１３Ｘ２，１３Ｙ１，１３Ｙ２との接合面に図示しないが、接合部材を介在させて接合される。
【００５６】
この実施例の構成によれば、各支持体片１３Ｘ１，１３Ｘ２，１３Ｙ１，１３Ｙ２の斜面１３ＸＩ，１３ＹＩと、各コーナー支持体片１３Ｃ１，１３Ｃ２，１３Ｃ３，１３Ｃ４の斜面１３ＣＩとの接合面が斜面形状としたことによって接合面積が広く確保できると共に、この長辺支持体片１３Ｘ１の端部が係止爪１７により係止されて接合され、短辺支持体片１３Ｙ１の端部も係止爪１７により係止されて接合されるので、支持体１３自体のＸＹ平面における位置ずれ等の変位が阻止され、高精度の位置決めが可能となるので、真空状態のリークを確実に防止することができる。
【００５７】
また、各コーナー支持体片１３Ｃ１〜１３Ｃ４の角部に貫通孔１３ＣＨに加えて開口径の大きい貫通孔１３ＣＰを穿設したことにより、前面基板２の内面に形成される陽極（メタルバック膜）に電力供給する給電用配線の引き回し等が極めて容易となると共に、電力供給手段を簡素化することができる。
【実施例３】
【００５８】
図７は、本発明による画像表示装置のさらに他の実施例を示す支持体の構成を拡大して示す上方から見た平面図であり、上述した図と同一部分には同一符号を付し、その説明は省略する。また、背面基板１及び前面基板２の各内面に形成する電子源及び蛍光体層等の各種の構成部分は図示を省略してある。
【００５９】
図７において、この支持体１３は、２本の長辺支持体片１３Ｘ１，１３Ｘ２と、２本の短辺支持体片１３Ｙ１，１３Ｙ２と、４個のコーナー支持体片１３Ｃ１，１３Ｃ２，１３Ｃ３，１３Ｃ４とを有し、これらの支持体片１３Ｘ１，１３Ｘ２，１３Ｙ１，１３Ｙ２は、コーナー支持体片１３Ｃ１，１３Ｃ２，１３Ｃ３，１３Ｃ４を表示領域を囲繞する形状寸法に組み合わせ、各接合面１３Ｐにおいて、例えば非晶質フリットガラスなどからなる接合部材１４を介して気密接合して構成されている。また、この構成では、各接合面１３Ｐは、それぞれ傾斜角θが約４５度の斜面形状で形成されている。
【００６０】
また、このコーナー支持体片１３Ｃ１，１３Ｃ２，１３Ｃ３，１３Ｃ４は、断面が略Ｌ字状の角柱体で形成され、長辺支持体片１３Ｘ１，１３Ｘ２と、短辺支持体片１３Ｙ１，１３Ｙ２との各接合部の外側から例えば非晶質フリットガラスなどからなる接合部材１４を介して気密接合して構成されている。なお、このコーナー支持体片１３Ｃ１，１３Ｃ２，１３Ｃ３，１３Ｃ４は、支持体片１３Ｘ１，１３Ｘ２，１３Ｙ１，１３Ｙ２と略同等の熱膨張係数を有するガラス成形体により形成されている。
【００６１】
この実施例の構成によれば、各支持体片１３Ｘ１，１３Ｘ２，１３Ｙ１，１３Ｙ２とコーナー支持体片１３Ｃ１，１３Ｃ２，１３Ｃ３，１３Ｃ４との各接合部を対角方向とし、さらにこれらの接合部の外側からコーナー支持体片１３Ｃ１，１３Ｃ２，１３Ｃ３，１３Ｃ４により補強固定されることにより、パネル内部の真空状態をリークさせることなく、確実に保持することが可能になる。
【実施例４】
【００６２】
図８は、本発明による画像表示装置の他の実施例を示す支持体の構成を拡大して示す上方から見た平面図であり、上述した図と同一部分には同一符号を付し、その説明は省略する。また、背面基板１及び前面基板２の各内面に形成する電子源及び蛍光体層等の各種の構成部分は図示を省略してある。
【００６３】
図８において、図７と異なる点は、この支持体１３は長辺支持体片１３Ｘ１，１３Ｘ２と、短辺支持体片１３Ｙ１，１３Ｙ２との各接合部の内側から４個のコーナー支持体片１３Ｃ１，１３Ｃ２，１３Ｃ３，１３Ｃ４が例えば非晶質フリットガラスなどからなる接合部材１４を介して気密接合して構成されている。
【００６４】
この実施例の構成においても、各支持体片１３Ｘ１，１３Ｘ２，１３Ｙ１，１３Ｙ２とコーナー支持体片１３Ｃ１，１３Ｃ２，１３Ｃ３，１３Ｃ４との各接合部を対角方向とし、さらにこれらの接合部の内側からコーナー支持体片１３Ｃ１，１３Ｃ２，１３Ｃ３，１３Ｃ４により補強固定されることにより、パネル内部の真空状態をリークさせることなく、確実に保持することが可能になる。
【００６５】
また、上記実施例３及び実施例４の支持体１３の構成によれば、この支持体１３を表示パネルの内面に接着固定する際、これらの断面略Ｌ字状のコーナー支持体片１３Ｃ１，１３Ｃ２，１３Ｃ３，１３Ｃ４のみを各支持体片１３Ｘ１，１３Ｘ２，１３Ｙ１，１３Ｙ２よりも先に表示パネルの内側に仮接着固定しておくことにより、その後に各支持体片１３Ｘ１，１３Ｘ２，１３Ｙ１，１３Ｙ２を取り付ける際の位置ずれ防止が可能となるので、表示パネルの作業性向上，安価製作及び信頼性向上を図ることが可能となる。
【００６６】
なお、上述した実施例３及び実施例４においては、各支持体片１３Ｘ１，１３Ｘ２，１３Ｙ１，１３Ｙ２とコーナー支持体片１３Ｃ１，１３Ｃ２，１３Ｃ３，１３Ｃ４との各接合部の外側または内側から４個のコーナー支持体片１３Ｃ１，１３Ｃ２，１３Ｃ３，１３Ｃ４により補強固定した場合について説明したが、本発明は、これに限定されるものではなく、対角方向に少なくとも２個のコーナー支持体片を気密接合させても略同等の効果が得られる。また、各支持体片１３Ｘ１，１３Ｘ２，１３Ｙ１，１３Ｙ２の各接合部の内部または外部に分散配置させて気密接合させても略同等の効果が得られる。
【００６７】
なお、上記実施例では、長辺支持体片１３Ｘ１，１３Ｘ２と短辺支持体片１３Ｙ１，１３Ｙ２との各接合面を４５度に傾斜した斜面構造で形成した場合について説明したが、本発明はこれらの接合構造に限定されるものではなく、接合面が約９０度で形成されている接合構造においてもほぼ同等の効果が得られ、さらに、接合面が４５度の斜面構造とを組み合わせた接合構造などを用いても上記同様の効果が得られる。
【図面の簡単な説明】
【００６８】
【図１】本発明による画像表示装置の一実施例を模式的に説明する展開斜視図である。
【図２】図１のＡ部のＺ方向の拡大断面図であり、図２（ａ）は図１のＢ−Ｂ線で切断した拡大断面図、図２（ｂ）は図１のＣ−Ｃ線で切断した拡大断面図である。
【図３】図１の支持体の構成を拡大して示す上方から見た平面図である。
【図４】支持体片とコーナー支持体片との接合部分の構成を示す図であり、図４（ａ）は上方から見た拡大平面図、図４（ｂ）は図４（ａ）の左側面から見た拡大平面図、図４（ｃ）は図４（ａ）の正面から見た拡大平面図である。
【図５】本発明による画像表示装置の他の実施例を示す支持体の構成を拡大して示す上方から見た平面図である。
【図６】図５の支持体片とコーナー支持体片との接合部分の組み合わせ構造を示す図であり、図６（ａ）は上方から見た拡大平面図、図６（ｂ）は図６（ａ）の左側面から見た拡大平面図、図６（ｃ）は図６（ａ）の正面から見た拡大平面図である。
【図７】本発明による画像表示装置のさらに他の実施例を示す支持体の構成を拡大して示す上方から見た平面図である。
【図８】本発明による画像表示装置の他の実施例を示す支持体の構成を拡大して示す上方から見た平面図である。
【図９】従来の画像表示装置の構成を示す要部断面図である。
【図１０】従来の画像表示装置の構成例を模式的に説明する展開斜視図である。
【図１１】図１０に示す従来の支持体の平面図及びその側面図である。
【図１２】従来の支持体の平面図及びその側面図である。
【符号の説明】
【００６９】
１・・・背面基板、２・・・前面基板、３・・・支持体、４・・・封着部材、５・・・電子源、６・・・蛍光体層、７・・・スペーサ、８・・・接着部材、１３・・・支持体、１３Ｘ１・・・長辺支持体片、１３Ｘ２・・・長辺支持体片、１３Ｙ１・・・短辺支持体片、１３Ｙ２・・・短辺支持体片、１３Ｐ・・・接合面、１３ＣＩ・・・斜面、１３ＣＨ・・・貫通孔、１３ＣＰ・・・貫通孔、１３ＸＩ・・・斜面、１３ＹＩ・・・斜面、１４・・・接合部材、１５・・・連通孔、１６・・・係止片、１７・・・係止爪、１３Ｃ１・・・コーナー支持体片、１３Ｃ２・・・コーナー支持体片、１３Ｃ３・・・コーナー支持体片、１３Ｃ４・・・コーナー支持体片。
【図１】
2007234400.tif 000003
【図２】
2007234400.tif 000004
【図３】
2007234400.tif 000005
【図４】
2007234400.tif 000006
【図５】
2007234400.tif 000007
【図６】
2007234400.tif 000008
【図７】
2007234400.tif 000009
【図８】
2007234400.tif 000010
【図９】
2007234400.tif 000011
【図１０】
2007234400.tif 000012
【図１１】
2007234400.tif 000013
【図１２】
2007234400.tif 000014